(57)【要約】【課題】強風が吹いてシート部材に捲れ上がるような力が作用しても、土壌面から容易に抜けることがなく、シート部材を固定することができ、しかもシート部材を開閉する際には、容易に抜き差しすることができる農業用シート固定具を提供する。【解決手段】農業用シート固定具１は、シート部材の外側で土壌面に差し込まれる棒状の土壌差込部２と、土壌差込部２の頂部５から水平方向に延び、頂部５を中心として上下円弧方向に弾性変形可能な平板状のバネ板部３と、バネ板部３の延出方向先端側１４から垂下され、土壌差込部２よりも上下方向の長さが短く、シート部材を貫通して土壌面に突き刺さる突起部４とを具備する。【選択図】図２
2015202067.tif 000002
【特許請求の範囲】
【請求項１】
シート部材の外側で土壌面に差し込まれる棒状の土壌差込部と、
該土壌差込部の頂部から水平方向に延び、前記頂部を中心として上下円弧方向に弾性変形可能な板状のバネ板部と、
該バネ板部の延出方向先端側から垂下され、前記土壌差込部よりも上下方向の長さが短く、前記シート部材を貫通して土壌面に突き刺さる突起部と
を具備することを特徴とする農業用シート固定具。
【請求項２】
請求項１に記載の農業用シート固定具によって固定されるシート部材であって、
シート本体と、
該シート本体よりも厚みがあり、前記シート本体の縁部に沿って前記シート本体の上面または下面に貼着されたフィルム状の補強部材と、
前記シート本体の縁部に沿って所定の間隔で配設するとともに、前記シート本体及び前記補強部材にかしめられ、前記突起部が挿通される円環状の鳩目金具と
を具備することを特徴とするシート部材。
【発明の詳細な説明】
【技術分野】
【０００１】
本発明は、農業用のマルチシートやビニールトンネル等のシート部材を土壌面に固定する農業用シート固定具、及びその農業用シート固定具によって固定されるシート部材に関するものである。
【背景技術】
【０００２】
作物の土壌面を被覆するマルチシートを土壌面に固定するためのシート固定具として、例えば特許文献１乃至特許文献３に記載されたマルチ押えが知られている。図６（ａ），（ｂ）に示すように、これらのマルチ押え５０は、樹脂で一体成形され、主に土壌面Ｄに差し込まれる棒状の土壌差込部５１と、土壌差込部５１の頂部５１ａから水平方向両側に延びマルチシート５４を上側から押える平板状のシート押え部５２とから構成されている。なお、土壌差込部５１は、下端５１ｂが尖形であるとともに、周面には複数の突起５１ｃや窪み５１ｄが形成されている。
【０００３】
一方、図７に示すように、畑では、霜の害や強風による風害から作物を守るため、ビニールトンネル６０が用いられている。このビニールトンネル６０のシート部材６１は、畝Ｕに沿って所定の間隔で配置されたアーチ形（逆Ｕ字形）の支柱６２に被せて張られ、縁部となる左右の裾部分６１ａが土壌面Ｄに重ねられた状態で固定される。そして、このシート部材６１を固定する手段としても、上記のマルチ押え５０が用いられている。具体的には、土壌差込部５１を、左右の裾部分６１ａを貫通して土壌面Ｄに差込むことで、シート押え部５２によって裾部分６１ａを固定する方法である。なお、図示しないが、シート部材６１を固定するその他の方法として、左右の裾部分６１ａに土を載せて押える方法、大きめの石や水入りのペットボトル等を重石として裾部分６１ａに載せる方法、及び洗濯ばさみのような挟持具を用いてシート部材６１を支柱６２に止める方法等も一般的に行われている。
【先行技術文献】
【特許文献】
【０００４】
【特許文献１】特開２０１１−９７８９９号公報
【特許文献２】実開平４−４１２４３号公報
【特許文献３】実開平３−５４１５５号公報
【発明の概要】
【発明が解決しようとする課題】
【０００５】
しかし、従来のマルチ押え５０は、縦断面が略Ｔ字形であり、図６（ｂ）に示すように水平方向に延びるシート押え部５２がマルチシート５４を上側から押える形態、すなわちシート押え部５２の下面全体がマルチシート５４の上面に接した状態で使用されるため、強風によってマルチシート５４に捲れ上がる方向の力が作用すると、シート押え部５２全体に上向きの力が作用し、土壌差込部５１が土壌面Ｄから抜けてしまう可能性が高くなっていた。つまり、マルチ押え５０には、土壌面Ｄへの差込み方向とは逆向きの力（すなわち抜き方向の力）が作用するため、たとえ土壌差込部５１の周面に抜止め用の突起５１ｃや窪み５１ｄがあっても、差し込んだ際に形成された穴と同じ通路を通って抜けることで、抵抗が小さくなり、抜けてしまう可能性が高くなっていた。
【０００６】
特に、図７に示すように、ビニールトンネル６０のシート部材６１を固定するためにマルチ押え５０を用いた場合には、ビニールトンネル６０内に風が吹き込むと、シート部材６１全体が持ち上がるように（すなわちシート部材６１の両側の裾部分６１ａが土壌面Ｄから浮き上がるように）力を受けるため、マルチ押え５０の土壌差込部５１が簡単に抜けるという問題を有していた。
【０００７】
そして、土壌差込部５１が土壌面Ｄから抜けた場合には、シート部材６１を土壌面Ｄに固定することができなくなり、その結果、風によってシート部材６１が煽られたり吹き飛ばされたりし、作物に与える被害を助長させていた。つまり、霜の害や直接的な風害だけでなく、シート部材６１自体が作物にぶつかることで、被害が大きくなっていた。
【０００８】
なお、シート部材６１の裾部分６１ａに土を載せて押える方法では、シート部材６１の長手方向（すなわち畝Ｕの方向）に沿って連続して土を盛ることで、裾部分６１ａと土壌面Ｄとの間の気密性を高めビニールトンネル６０の内部に風が吹き込むことを抑制できる。しかしながら、これによれば、作物の成長に合わせた各作業（例えば、水やり、換気、温度調整、間引き、追肥、及び収穫）の際に必要な、裾部分６１ａの開閉操作が、極めて多くの手間を要するものとなり、ひいては作業者の負担を軽減することが望まれていた。
【０００９】
また、大きめの石や水入りペットボトルを重石として裾部分６１ａに載せる方法では、シート部材６１の開閉にかかる手間を幾分小さくできるものの、シート部材６１の裾部分６１ａに大きな風力が加わると、重石が転がり、シート部材６１の裾部分６１ａが捲れ上がってしまうおそれがあった。また、数多くの重石が必要となることから、重石を使用しない場合の収納場所の確保が困難になっていた。
【００１０】
一方、挟持具を用いてシート部材６１を支柱６２に止める方法では、挟持具の数を増やしたり、挟持具の保持力を高めたりすることにより、支柱６２に対するシート部材６１の固定状態を高めることができるが、これによれば、強風の際、支柱６２に大きな力が加わり、支柱６２が倒れたり支柱６２が土壌面Ｄから抜けたりするおそれがあった。また、保持力の強い挟持具を用いるとシート部材６１の開閉にかかる手間が大きくなるという不具合も有していた。
【００１１】
そこで、本発明は、上記の実状に鑑み、強風が吹いてシート部材（マルチシートを含む）に捲れ上がるような力が作用しても、土壌面から容易に抜けることがなく、シート部材を固定することができ、しかもシート部材の縁部を開閉する際には、容易に抜き差しすることができる農業用シート固定具、及びその農業用シート固定具に好適なシート部材を提供することを課題とするものである。
【課題を解決するための手段】
【００１２】
本発明の農業用シート固定具は、
「シート部材の外側で土壌面に差し込まれる棒状の土壌差込部と、
該土壌差込部の頂部から水平方向に延び、前記頂部を中心として上下円弧方向に弾性変形可能な板状のバネ板部と、
該バネ板部の延出方向先端側から垂下され、前記土壌差込部よりも上下方向の長さが短く、前記シート部材を貫通して土壌面に突き刺さる突起部と
を具備する」ことを特徴とするものである。
【００１３】
ここで、「シート部材」とは、土壌面を被覆する農業用被覆資材であり、マルチシート、ビニールトンネルのシート部材、寒冷紗、及び防虫ネット等を含むことができる。つまり、マルチシートのようにシート部材全体が土壌面に接するものでもよく、ビニールトンネルのように縁部のみが土壌面に接するトンネルタイプのものでもよく、あるいは支柱を用いずに作物の上にべた掛けするものでもよい。また、「シート部材」は、ビニールトンネルのように通気性のないものでもよく、寒冷紗や防虫ネットのように通気性を有するネット状のものでもよく、マルチシートのように作物用の開口を有するものでもよい。また、「シート部材」は、農業用シート固定具の突起部が貫通する透孔を備えるものでもよく、該透孔を備えないもの、すなわち突起部の下端を突き刺すことで貫通させるものでもよい。
【００１４】
「農業用シート固定具」の材質は特に限定されるものではないが、ポリプロピレンやポリエチレン等の樹脂で成形することが可能である。また、「農業用シート固定具」は、全体を一体成型してもよく、突起部を別部材で形成しバネ板部に組付けてもよい。
【００１５】
また、「土壌差込部」の形状は特に限定されるものではないが、下端を尖形とし、周面に複数の突起や窪みを形成することが好ましい。「バネ板部」は、土壌差込部の頂部から少なくとも一方の水平方向（すなわち使用状態ではシート部材側に向かう方向）に延びていればよく、土壌差込部との組合せでＴ字形になるように左右両側に延びていてもよい。また、「バネ板部」は、例えば樹脂や金属等で薄板状に形成することにより、頂部を中心として上下円弧方向に弾性変形させること（すなわち弓なりに曲げること）が可能となる。
【００１６】
また、「突起部」の長さは、シート部材の縁部が風によって捲れ上がろうとしたとき、縁部に係止可能な長さであればよい。
【００１７】
本発明の農業用シート固定具は、棒状の土壌差込部と、板状のバネ板部と、突起部とを備えて構成されており、土壌差込部をシート部材の外側（シート部材がないところ）で土壌面に差し込みつつ、突起部を、シート部材を貫通して土壌面に突き刺すことで、土壌面に対してシート部材を固定することが可能になる。
【００１８】
詳しく説明すると、土壌差込部と突起部とは、土壌差込部の頂部から水平方向に延びた板状のバネ板部を介して連結され、突起部がバネ板部の延出方向先端側から垂下されているため、バネ板部がシート部材の縁を横切るようにシート部材の上側から土壌面に向かって農業用シート固定具を押し当てると、土壌差込部をシート部材の外側で土壌面に差し込みつつ、突起部を、シート部材を貫通して土壌面に突き刺すことが可能になる。これにより、土壌差込部が土壌面に固定されるとともに、突起部がシート部材に係止され、ひいてはシート部材の水平方向への動きが規制される。
【００１９】
一方、強風等によりシート部材が捲れ上がる方向（すなわちシート部材の縁部が上側に移動する方向）の力を受けると、シート部材に係止された突起部に上向きの力が加わる。ここで、突起部は、土壌差込部よりも上下方向の長さが短いため、土壌面から比較的容易に抜ける可能性がある。しかし、土壌差込部にはバネ板部を介して力が伝わり、しかもバネ板部は、土壌差込部の頂部を中心として上下円弧方向に弾性変形する（弓なりに曲がる）ことから、土壌差込部への上向きの力が緩和されるとともに、土壌差込部にはバネ板部の復元力によって頂部を中心とした回転方向の力が作用する。すなわち土壌差込部は挿脱方向（上下方向）とは異なる方向に力を受けるため、たとえ土壌差込部の差し込みによって形成された穴により、抜き方向（上方向）への抵抗が小さくなっていても、回転方向の力によって土壌差込部の側面が土壌に圧接し、土壌面から抜けないようになる。
【００２０】
なお、作物に対して各作業を行う際に、シート部材を開閉するときは、例えば土壌差込部の上のバネ板部を掴み、真直ぐ上に引っ張ればよい。これによれば、土壌差込部の差し込みによって形成された穴と同じ通路を通って、土壌差込部を引き抜くことができ、極めて容易に抜き差しすることが可能となる。
【００２１】
また、本発明のシート部材は、
「上記記載の農業用シート固定具によって固定されるシート部材であって、
シート本体と、
該シート本体よりも厚みがあり、前記シート本体の縁部に沿って前記シート本体の上面または下面に貼着されたフィルム状の補強部材と、
前記シート本体の縁部に沿って所定の間隔で配設するとともに、前記シート本体及び前記補強部材にかしめられ、前記突起部が挿通される円環状の鳩目金具と
を具備する」ことを特徴とするものである。
【００２２】
ここで、「シート本体」の厚みは特に限定されるものではないが、農業用シート固定具の突起部が挿通した状態（係止された状態）で、強風等によりシート本体に力が加わったとき、突起部によって透孔の大きさが広がったり、透孔を始点として線状に破れたりする可能性がある薄めのものを用いることができる。
【００２３】
「フィルム状の補強部材」の材質は特に限定されるものではないが、紙、布、フィルム（セロハン等）を挙げることができる。たとえば、セロハンテープ、またはクラフト粘着テープ（いわゆるガムテープ）等を用いることができる。また、補強部材は、シート本体の縁部に沿って連続して設けるようにしてもよいが、所定の間隔で配設する鳩目金具のかしめ位置に合わせて所定の間隔で設けるようにしてもよい。
【００２４】
「鳩目金具」の材質は特に限定されるものではないが、金属、プラスチック、またはゴムを挙げることができる。「鳩目金具」の孔の大きさは、突起部が挿通可能な大きさであればよいが、突起部の挿入のし易さと、係止状態での安定性とを考慮した適切な大きさが好ましい。
【００２５】
本発明のシート部材によれば、シート本体と、補強部材と、鳩目金具とを備えており、農業用シート固定具の突起部を鳩目金具の孔に挿通させると、強風が吹いた場合でも、突起部によってシート本体が破れたりすることを防止できる。
【００２６】
詳しく説明すると、シート部材には、シート本体の縁部に沿って所定の間隔で鳩目金具が設けられているため、鳩目金具の孔に突起部を挿通させることで、突起部からシート本体への力（反作用の力）が直接伝わらず、シート本体を保護することができる。しかも、シート本体には、シート本体の縁部に沿って、シート本体よりも厚みのあるフィルム状の補強部材が貼着されるとともに、互いに重ねられたシート本体及び補強部材の両方に鳩目金具がかしめられているため、鳩目金具からシート本体に及ぼす力も抑制され、シート本体の破損を一層確実に防止することができる。このため、使用するシート本体を、作物の種類や用途に応じた厚みとするにもかかわらず、何度も繰り返し使用することが可能となる。また、シート部材には鳩目金具によって孔が形成されるため、突起部を貫通させる際の利便性がよくなり、作業者の負担を軽減することが可能となる。
【発明の効果】
【００２７】
このように、本発明の農業用シート固定具によれば、強風が吹いてシート部材に捲れ上がるような力が作用しても、土壌面から抜けることを防止でき、ひいてはシート部材を土壌面にしっかりと固定することができる。しかもシート部材の縁部分を開閉する際には、容易に抜き差しすることができ、作業の利便性を高めることができる。一方、本発明のシート部材によれば、シート本体の破損を防止でき、何度も繰り返し使用することが可能となる。
【図面の簡単な説明】
【００２８】
【図１】本実施形態の農業用シート固定具を、斜め上方から見た斜視図である。
【図２】図１の農業用シート固定具を、斜め下方から見た斜視図である。
【図３】図１の農業用シート固定具の使用状態を示す斜視図である。
【図４】図１の農業用シート固定具の使用状態を示す縦断面図、およびその一部拡大図である。
【図５】図１の農業用シート固定具の使用状態、特に、強風が吹いてシート部材が捲れ上がる方向に力を受けた場合の作用を示す説明図である。
【図６】（ａ）は従来のマルチ押えを、斜め上方から見た斜視図であり、（ｂ）はそのマルチ押えの使用状態を示す縦断面図である。
【図７】従来のマルチ押えを、ビニールトンネルに使用した場合の使用状態を示す斜視図である。
【発明を実施するための形態】
【００２９】
以下、本発明の実施形態である農業用シート固定具の構成について、図１及び図２に基づき説明する。農業用シート固定具１は、主に、棒状の土壌差込部２と、平板状のバネ板部３と、突起部４とを備えて構成されており、ポリプロピレンやポリエチレン等の樹脂で一体成型されている。
【００３０】
土壌差込部２は、シート部材２１（図３参照）の外側で土壌面Ｄに差し込まれるものであり、略四角柱状で、下端６側が尖形に形成されている。なお、土壌差込部２の横断面は、バネ板部３の延び方向（長手方向）に直交する側面７，８の幅が、平行となる側面１０の幅よりも大きくなっている。また、側面７，８には、下端６側を除いて、複数の窪み９が上下方向に並んで形成されている。一方、一対の側面１０には、同じく下端６側を除いて、複数の突起１１が外側斜め上方に突出している。土壌差込部２の長さは特に限定されるものではないが、本実施形態では、約１２０ｍｍである。
【００３１】
バネ板部３は、土壌差込部２の頂部５から水平方向に延び、頂部５を中心として上下円弧方向に弾性変形可能（図５参照）な厚み（本実施形態では約１．５ｍｍ）に形成されている。つまり、バネ板部３の先端側１４を弾性力に抗して上方に持ち上げることにより、バネ板部３が弓なりに曲がるようになっている。バネ板部３の延び方向の長さは、土壌差込部２の長さよりも短く、本実施形態では約８０ｍｍである。
【００３２】
突起部４は、バネ板部３における先端側１４の下面から垂下されており、シート部材２１を貫通して土壌面Ｄに突き刺すことが可能になっている。突起部４は、略円柱形状であり、土壌差込部２と比べ、上下方向の長さ及び径方向の長さが極めて小さくなっている。具体的には、突起部４の上下方向の長さは、土壌差込部２の約１／４となる３０ｍｍであり、直径は土壌差込部２における側面１０の幅の約１／２となる約７ｍｍである。また、突起部４の下端は尖形であるが、土壌差込部２のような突起及び窪みは形成されておらず、凹凸のない単調な円柱形状となっている。
【００３３】
次に、本実施形態の農業用シート固定具１によって固定される、ビニールトンネル２０のシート部材２１について、図３及び図４に基づき説明する。このシート部材２１は、畝Ｕに沿って所定の間隔で配置されたアーチ形の支柱２２に被せられ、縁部となる左右の裾部分２４が土壌面Ｄに重ねられた状態で固定されるようになっている。
【００３４】
特に、本実施形態のシート部材２１は、光透過性を有するビニールからなるシート本体２３と、シート本体２３の裾部分２４に沿って所定の間隔（例えば１ｍおき）でシート本体２３の上面に貼着された補強部材２５と、農業用シート固定具１の突起部４が挿通される円環状の鳩目金具２６とを備えている。
【００３５】
補強部材２５は、フィルム状であり、シート本体２３よりも厚く形成されている。本例では、補強部材２５として、クラフト粘着テープ（いわゆるガムテープ）が用いられている。
【００３６】
鳩目金具２６は、金属製であり、互いに重ねられて一体化されたシート本体２３の裾部分２４及び補強部材２５の両方にかしめられている。つまり、図４の一部拡大図に示すように、鳩目金具２６の上片２６ａが補強部材２５の上面に圧接し、鳩目金具２６の下片２６ｂがシート本体２３の裾部分２４の下面に圧接している。この鳩目金具２６は、市販のハトメパンチ（図示しない）等の工具を用いてかしめられるが、この際、シート本体２３及び補強部材２５には鳩目金具２６が貫通する透孔が穿設される。鳩目金具２６の孔２７の内径は、突起部４の直径よりも大きく、突起部４を容易に孔２７に貫通させることが可能になっている。
【００３７】
次に、本実施形態の農業用シート固定具１の使用方法について、図３及び図４に基づき説明する。ビニールトンネル２０のシート部材２１を固定するには、土壌差込部２をシート部材２１の外側（シート部材２１がないところ）で土壌面Ｄに差し込みつつ、突起部４を、鳩目金具２６を貫通して土壌面Ｄに突き刺す。つまり、土壌差込部２と突起部４とは、土壌差込部２の頂部５から水平方向に延びた平板状のバネ板部３を介して連結されているため、バネ板部３がシート部材２１の縁を横切り、且つ突起部４が鳩目金具２６の孔２７に合致するように、シート部材２１の裾部分２４の上側から土壌面Ｄに向かって農業用シート固定具１を押し当てると、土壌差込部２がシート部材２１の外側で土壌面Ｄに差し込まれ、突起部４が鳩目金具２６の孔２７を貫通して土壌面Ｄに突き刺さる。これにより、土壌差込部２が土壌面Ｄに固定されるとともに、突起部４がシート部材２１の鳩目金具２６に係止され、ひいてはシート部材２１の水平方向への動きが規制される。
【００３８】
一方、図５に示すように、強風等によりシート部材２１が捲れ上がる方向（図中Ａ方向）の力を受けると、シート部材２１の鳩目金具２６に係止された突起部４に上向きの力が加わる。ここで、突起部４は、土壌差込部２よりも上下方向の長さが短い円柱形状からなるため、土壌面Ｄから比較的容易に抜ける可能性がある。しかし、土壌差込部２にはバネ板部３を介して力が伝わり、しかもバネ板部３は、土壌差込部２の頂部５を中心として上下円弧方向に弾性変形する（弓なりに曲がる）ことから、土壌差込部２への上向きの力が緩和されるとともに、土壌差込部２にはバネ板部３の復元力によって頂部５を中心とした回転方向（図中Ｂ方向）の力が作用する。すなわち土壌差込部２は挿脱方向（上下方向）とは異なる方向に力を受けるため、たとえ土壌差込部２の差し込みによって形成された穴により抜き方向（上方向）への抵抗が小さくなっていても、回転方向（図中Ｂ方向）の力によって土壌差込部２の側面７が土壌に圧接し、土壌面Ｄから抜けてしまうことが防止される。特に、突起部４に対向する土壌差込部２の側面７は、それに直角な側面１０（図１参照）よりも面積が大きく、しかも側面７には複数の窪み９が形成されているため、回転方向（図中Ｂ方向）への抵抗が一層大きくなり、土壌差込部２の移動（回転）が阻止される。
【００３９】
なお、作物に対して各作業を行う際に、シート部材２１を開閉するときは、土壌差込部２の上のバネ板部３を掴み、真直ぐ上に引っ張ればよい。これによれば、土壌差込部２の差し込みによって形成された穴と同じ通路を通って、土壌差込部２を引き抜くことができ、極めて容易に抜き差しすることが可能となる。
【００４０】
このように、本実施形態の農業用シート固定具１によれば、強風が吹いてシート部材２１に捲れ上がるような力が作用しても、土壌面Ｄから抜けることを防止でき、ひいてはシート部材２１を土壌面Ｄにしっかりと固定することができる。しかもシート部材２１の裾部分２４を開閉する際には、容易に抜き差しすることができ、作業の利便性を高めることができる。
【００４１】
また、本実施形態のシート部材２１によれば、シート本体２３の裾部分２４に沿って所定の間隔で鳩目金具２６が設けられているため、鳩目金具２６の孔２７に突起部４を挿通させることで、突起部４からシート本体２３への力が直接伝わらず、シート本体２３を保護することができる。しかも、シート本体２３には、フィルム状の補強部材２５が貼着されるとともに、シート本体２３及び補強部材２５の両方に鳩目金具２６がかしめられているため、鳩目金具２６からシート本体２３に及ぼす力も抑制され、シート本体２３の破損を一層確実に防止することができる。このため、使用するシート本体２３を、作物の種類や用途に応じた厚みとするにもかかわらず、何度も繰り返し使用することが可能となる。また、シート部材２１には鳩目金具２６によって透孔が形成されるため、突起部４を貫通させる際の利便性がよくなり、作業者の負担を軽減することができる。
【００４２】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４３】
すなわち、上記実施形態では、突起部４の下端を尖形にしたものを示したが、上記のようにシート部材２１に予め孔が設けられている場合には、下端の尖っていない形状としてもよい。
【００４４】
また、上記実施形態では、農業用シート固定具１を樹脂で一体成形するものを示したが、農業用シート固定具の全体または一部を金属製としてもよい。
【００４５】
また、上記実施形態では、土壌差込部２の側面７，８，１０に、窪み９や突起１１を設けたものを示したが、窪み９及び突起１１の双方またはいずれか一方を省いてもよい。
【００４６】
さらに、上記実施形態では、農業用シート固定具１によって、ビニールトンネル２０のシート部材２１を固定するものを示したが、マルチシート、寒冷紗、または防虫ネットに対しても農業用シート固定具１を用いることができる。
【符号の説明】
【００４７】
１  農業用シート固定具
２  土壌差込部
３  バネ板部
４  突起部
５  頂部
１４  先端側
２１  シート部材
２４  裾部分（縁部）
２５  補強部材
２６  鳩目金具
Ｄ  土壌面
【図３】
2015202067.tif 000003
【図４】
2015202067.tif 000004
【図５】
2015202067.tif 000005
【図６】
2015202067.tif 000006
【図７】
2015202067.tif 000007
【図１】
2015202067.tif 000008
【図２】
2015202067.tif 000009